(57)【要約】【課題】被写体の動き量に基づきシャッターチャンスに対する緊急性を判断して目標充電レベルを変更することで、シャッターチャンスを逃すケースを減らすことができるとともに、無駄に消費される電力を削減することができる撮像装置を提供する。【解決手段】撮像装置は、ストロボ１１６を発光させるための電力を蓄えるメインコンデンサ１１７と、メインコンデンサ１１７の充電レベルを制御するストロボ制御部１１８と、撮像される被写体の動き量を検出する動き検出部１２１と、動き検出部１２１により検出された被写体の動き量に基づき、ストロボ制御部１１８に対する目標充電レベルを設定するカメラ制御部１２０と、を備える。【選択図】図１
2011061530.tif 000002
【特許請求の範囲】
【請求項１】
発光部と、該発光部を発光させるための電力を蓄える蓄電部とを備える発光装置を用いた撮影が可能な撮像装置であって、
撮像される被写体の動き量を検出する動き検出手段と、
前記動き検出手段により検出された被写体の動き量が大きいほど前記蓄電部の目標充電レベルを小さい値に設定する充電レベル設定手段と、を備えることを特徴とする撮像装置。
【請求項２】
被写体の色温度情報を取得する取得手段と、
前記取得手段により取得された色温度情報に基づき、前記被写体の色温度が低いほど前記目標充電レベルを小さい値に補正する補正手段と、を備えることを特徴とする請求項１に記載の撮像装置。
【請求項３】
前記目標充電レベルまで前記蓄電部を充電させて前記発光部を発光させたときに所定のストロボ光到達距離を満たすように、撮影用の露出を設定する露出設定手段を備えることを特徴とする請求項１または２に記載の撮像装置。
【請求項４】
発光部と、該発光部を発光させるための電力を蓄える蓄電部とを備える発光装置を用いた撮影が可能な撮像装置の制御方法であって、
撮像される被写体の動き量を検出する動き検出ステップと、
前記動き検出ステップで検出された被写体の動き量が大きいほど前記蓄電部の目標充電レベルを小さい値に設定する充電レベル設定ステップと、を備えることを特徴とする撮像装置の制御方法。
【発明の詳細な説明】
【技術分野】
【０００１】
本発明は、被写体を照射する発光装置を用いた撮影が可能なデジタルカメラ等の撮像装置、及び撮像装置の制御方法に関する。
【背景技術】
【０００２】
写真撮影は、昼間の自然光の下で行う撮影、暗中で閃光を被写体に向けて発光させて撮影を行う所謂ストロボ撮影、自然光と閃光とを合わせて撮影を行う所謂日中シンクロ撮影など、様々な条件で行われている。
【０００３】
ストロボ撮影時の調光方式の１つとして、プリ発光方式がある。プリ発光方式は、撮影のための露光の前にストロボをプリ発光させて、プリ発光の被写体反射光量を測光することで適正な本発光量を計算し、計算した発光量で本発光を行う調光方式である。このとき、測光用の測光センサを備えていないデジタルカメラにおいては、撮像用のイメージセンサによりプリ発光の反射光測光を露光し、画像信号を測光に用いている。
【０００４】
ストロボは、予めメインコンデンサに電荷を充電しておき、発光タイミングにおいてキセノン管に電圧を印加すると共にトリガコイルに電流を流すことにより発光させる。このとき、メインコンデンサは通常、その定格電圧付近の目標充電レベル（フル充電）まで充電された状態で発光制御に入る。一定レベルのメインコンデンサ電圧から発光を行うことでプリ発光光量を一定化させ、その反射光の測光値に基づいて本発光量を計算するために好都合であるためである。
【０００５】
しかし、フル充電までメインコンデンサを充電するには時間を要するため、ストロボ発光を要するシーンでシャッターチャンスを逃すといった問題が生じることがある。また、本来フル充電までのメインコンデンサの充電が不要な、比較的小発光で済むようなシーンでもフル充電まで充電される画一的な充電制御方法では、電力が浪費されるといった問題も生じる。
【０００６】
この問題に対し、撮影モードの種類ごとに決められている光量を得るに足るだけの充電量だけ充電する技術が提案されている（特許文献１）。この提案では、多様な撮影シーンに対応する適切な発光量を確保しつつ、ストロボ撮影時に無駄に消費される電力を削減することができるとしている。
【先行技術文献】
【特許文献】
【０００７】
【特許文献１】特開２００６−０７２０４９号公報
【発明の概要】
【発明が解決しようとする課題】
【０００８】
しかし、上記特許文献１では、ストロボの必要発光量は、その時々の被写体の状況により異なるもので、撮影モードごとに発光量を適切に規定することは困難である。
【０００９】
そこで、本発明の目的は、シャッターチャンスを逃すケースを減らすことができるとともに、無駄に消費される電力を削減することができるようにすることにある。
【課題を解決するための手段】
【００１０】
上記目的を達成するために、本発明にかかる撮像装置は、発光部と、該発光部を発光させるための電力を蓄える蓄電部とを備える発光装置を用いた撮影が可能な撮像装置であって、撮像される被写体の動き量を検出する動き検出手段と、前記動き検出手段により検出された被写体の動き量が大きいほど前記蓄電部の目標充電レベルを小さい値に設定する充電レベル設定手段と、を備えることを特徴とする。
【発明の効果】
【００１１】
本発明によれば、シャッターチャンスを逃すケースを減らすことができるとともに、無駄に消費される電力を削減することができる。
【図面の簡単な説明】
【００１２】
【図１】本発明の第１の実施形態である撮像装置の構成例を説明するためのブロック図である。
【図２】撮像装置におけるストロボ撮影処理の一例を説明するためのフローチャート図である。
【図３】図２のステップＳ２１１での目標充電レベルの設定及び露出再設定の処理の一例を説明するためのフローチャート図である。
【図４】図２のステップＳ２１６における調光制御の一例を説明するための図である。
【図５】本発明の第２の実施形態である撮像装置におけるストロボ撮影処理の一例を説明するためのフローチャート図である。
【図６】目標充電レベル補正値を取得するための補正テーブルの一例を示す図である。
【発明を実施するための形態】
【００１３】
以下、本発明の実施形態を図面を参照して説明する。
【００１４】
（第１の実施形態）
図１は、本発明の第１の実施形態である撮像装置の構成例を説明するためのブロック図である。
【００１５】
図１において、絞り機構部１０２は、シャッタを兼ねており、撮像レンズ１０１を介して入射する光量を制限する。絞り駆動部１０３は、絞り機構部１０２を駆動する。撮像素子駆動部１０５は、ＣＭＯＳセンサ等の撮像素子１０４を駆動する。前段信号処理部１０６は、相関２重サンプリングや感度設定に応じた画像信号に対する増幅制御を行う。カメラ信号処理部１０８は、Ａ／Ｄ変換部１０７でデジタル化された信号を処理する。
【００１６】
画像データ圧縮伸長部１０９は、画像データの圧縮、伸長を行い、画像メモリ１１０や画像データ記録再生部１１１に出力する。画像データ記録再生部１１１は、半導体メモリ等の記録媒体１１２に対して圧縮した画像データの記録及び再生を行う。表示駆動部１１３は、液晶やＣＲＴ等の表示部１１４を駆動する。メインコンデンサ１１７は、蓄電部の一例であり、発光部であるストロボ１１６を発光させるための電力を蓄える。
【００１７】
ストロボ制御部１１８は、メインコンデンサ１１７の充電制御及びストロボ１１６の発光制御を行う。操作スイッチ部１１９は、記録開始トリガを与えるシャッタボタン等が配置されている。カメラ制御部１２０は、撮像装置全体の制御を司るＭＰＵ等で構成され、内部に調光設定値等を記憶するメモリ１２０ａや動き検出部１２１を有する。
【００１８】
次に、上記構成の撮像装置の動作例について説明する。
【００１９】
撮像レンズ１０１を通った光束は、絞り機構部１０２によって適切な露出に制御され、撮像素子１０４により光電変換される。撮像素子１０４は、撮像素子駆動部１０５によって電荷の蓄積時間が制御されている。撮像素子１０４から出力された信号は、前段信号処理部１０６にて相関２重サンプリング、利得制御が行われ、Ａ／Ｄ変換部１０７にてアナログ信号からデジタル信号に変換される。
【００２０】
デジタル変換された信号は、カメラ信号処理部１０８において、オートホワイトバランス、輪郭強調等々の処理がなされる。このカメラ信号処理部１０８で処理された信号は、カメラ制御部１２０に出力され、カメラ制御部１２０は、その信号を基にフィードバック制御を行う。
【００２１】
カメラ制御部１２０内の動き検出部１２１は、連続して入力される画像信号から被写体位置の変位を検出し、その大きさや速さを出力する演算回路である。前述した絞り制御、電荷蓄積時間制御、利得制御のいずれも、カメラ制御部１２０に入力される信号が適正値になるように、該カメラ制御部１２０は、絞り駆動部１０３、撮像素子駆動部１０５、前段信号処理部１０６を制御する。
【００２２】
記録モード時には、カメラ信号処理部１０８で処理された信号は、表示駆動部１１３に供給され、表示部１１４にリアルタイムに撮像画像（ライブ画像）が表示される。この時点で、操作スイッチ部１１９から記録開始のトリガが入力されると、カメラ制御部１２０は、絞り機構部１０２を絞り駆動部１０３によって撮影用の絞り値に設定し、前段信号処理部１０６を撮影用の感度に設定する。
【００２３】
続いてカメラ制御部１２０は、絞り機構部１０２を絞り駆動部１０３により撮影用の蓄積時間で閉じ切るシャッタ動作をするように設定する。その後に撮像素子１０４にて設定された蓄積時間露光され、蓄積時間終了時に絞り機構部１０２が閉じ切られることによって遮光される。
【００２４】
遮光中に読み出された映像信号は、Ａ／Ｄ変換部１０７でアナログ信号からデジタル信号に変換されてカメラ信号処理部１０８を経て、画像データ圧縮伸長部１０９に供給される。画像データ圧縮伸長部１０９は一度画像メモリ１１０に画像データを記憶させ、順次ＪＰＥＧ等の形式に圧縮して画像データ記録再生部１１１に出力し、これにより半導体メモリ等の記録媒体１１２に前記画像データが記録される。
【００２５】
被写体を撮像するのに十分な照度がない場合、もしくはストロボ撮影モードに設定されている場合、前述の撮影処理における露光に同期して適切な発光量でストロボ１１６を発光させる所謂ストロボ撮影が行われる。この処理については後述する。
【００２６】
再生モード時には、記録媒体１１２から画像データ記録再生部１１１にて画像データが読み取られて、画像データ圧縮伸長部１０９に供給される。画像データ圧縮伸長部１０９で伸長された画像データは、画像メモリ１１０に一旦記憶された後に表示駆動部１１３に供給され、表示部１１４にて画像として再生される。
【００２７】
図２は、本実施形態の撮像装置におけるストロボ撮影処理の一例を説明するためのフローチャート図である。図２での各処理は、ＲＯＭ等に記憶されたプログラムがＲＡＭにロードされて、カメラ制御部１２０により実行される。
【００２８】
なお、図２の処理の開始時には、撮像装置の電源スイッチ等がオン操作されてカメラシステムの起動が終了しているものとする。システム起動が行われると、カメラ制御部１２０を初め、撮像素子１０４や画像メモリ１１０などが動作を開始する。そして、システム起動が終了した時点で、表示部１１４にはライブ画像が表示され、操作スイッチ部１１９からの記録開始トリガ入力を待機する状態（撮影待機状態）となる。この段階で、操作スイッチ部１１９からの操作ボタン入力により、撮影に関する設定を行うことが可能となっている。ユーザーは、ストロボ撮影の許可／禁止、ストロボ強制発光などの設定を行うことが可能である。
【００２９】
ステップＳ２０２では、カメラ制御部１２０は、ユーザーによるストロボ設定に従い、ストロボ撮影が行われるか否かを判断する。そして、カメラ制御部１２０は、ストロボ撮影が行われる場合は、ステップＳ２０３に進み、ストロボ撮影が行われない場合は、ステップＳ２０４〜ステップＳ２０６に進む。
【００３０】
ステップＳ２０３では、カメラ制御部１２０は、ストロボ制御部１１８を制御して、メインコンデンサ１１７の充電制御を開始し、ステップＳ２０４〜ステップＳ２０６に進む。
【００３１】
ステップＳ２０４〜ステップＳ２０６では、カメラ制御部１２０は、それぞれＡＥ、ＡＦ、ＷＢ処理を行うことで、ライブ画像を適正な露出、ピント、色で表示できるようにフィードバック制御を繰り返し、ステップＳ２０７に進む。
【００３２】
ステップＳ２０７では、カメラ制御部１２０は、操作スイッチ部１１９からの撮影準備指示入力であるＳＷ１入力の有無を確認し、ＳＷ１入力が無い場合は、ステップＳ２０２に戻り、ＳＷ１入力が有る場合は、ステップＳ２０８に進む。
【００３３】
ステップＳ２０８では、カメラ制御部１２０は、撮影用のＡＥ処理を行い、ステップＳ２０９に進む。
【００３４】
ステップＳ２０９では、カメラ制御部１２０は、撮影用のＡＦ処理を行い、ステップＳ２１０に進む。
【００３５】
ステップＳ２１０では、カメラ制御部１２０は、ストロボ発光を行うか否かを判断する。発光判断基準は様々であり、例えば、カメラ制御部１２０は、強制発光ならば常にストロボ発光を行うと判断し、それ以外の発光許可状態であれば、露光時間、逆光判定などの条件に従い、発光を行うか否かを判断する。そして、カメラ制御部１２０は、ストロボ発光を行うと判断した場合は、ステップＳ２１１に進み、ストロボ発光を行わないと判断した場合は、ステップＳ２１４に進む。
【００３６】
ステップＳ２１１では、カメラ制御部１２０は、動き検出部１２１の出力情報を基に、ストロボ制御部１１８により目標充電レベルを設定すると共に、発光量が低下することによるストロボ光到達距離短縮を補うための露出再設定を行い、ステップＳ２１３に進む。なお、ここでの処理については後述する。
【００３７】
ステップＳ２１３では、カメラ制御部１２０は、ステップＳ２１１で設定された目標充電レベルと現在のメインコンデンサ１１７の充電電圧とを比較する。そして、カメラ制御部１２０は、現在のメインコンデンサ１１７の充電電圧の目標充電レベルに対する不足量が所定の閾値ＴＨ４を超える場合は、ステップＳ２１２へ進む。
【００３８】
ステップＳ２１２では、カメラ制御部１２０は、ストロボ制御部１１８を制御して、メインコンデンサ１１７の補充電を行い、不足量が閾値ＴＨ４を超えなくなるまで充電されると、ステップＳ２１３からステップＳ２１４に進む。
【００３９】
また、カメラ制御部１２０は、現在のメインコンデンサ１１７の充電電圧の目標充電レベルに対する不足量が所定の閾値ＴＨ４を超えていなければ、メインコンデンサ１１７の補充電を行うことなく、ステップＳ２１４に進む。ここで、閾値ＴＨ４は０でもよく、ステップＳ２１１で設定された目標充電レベルに応じて変化するものであってもよい。
【００４０】
ステップＳ２１４では、カメラ制御部１２０は、操作スイッチ部１１９からの撮影指示トリガ入力（ＳＷ２入力）の有無を判断し、ＳＷ２入力された場合は、ステップＳ２１５に進む。
【００４１】
ステップＳ２１５では、カメラ制御部１２０は、ストロボ発光を行うか否かを判断し、ストロボ発光を行う場合は、ステップＳ２１６に進み、ストロボ発光を行わない場合は、ステップＳ２１７に進む。
【００４２】
ステップＳ２１６では、カメラ制御部１２０は、調光制御を行い、ステップＳ２１８に進む。調光制御とは、まず外光を測光し、続いてストロボ制御部１１８の制御に従いストロボ１１６で所定発光量のプリ発光を行い、その反射光を測光する。そして、外光測光値とプリ発光測光値とから本撮影時の適正な発光量を求める。なお、調光制御の詳細については後述する。
【００４３】
ステップＳ２１８では、カメラ制御部１２０は、絞り機構部１０２を閉じるシャッタ動作を用いる露光での本撮影を行い、露光と同調してステップＳ２１６で求めた発光量でストロボ制御部１１８によりストロボ１１６に発光させ、ストロボ撮影が完了する。
【００４４】
ステップＳ２１７では、カメラ制御部１２０は、ストロボ１１６を発光させずに本撮影を行い、撮影を完了する。
【００４５】
ところで、ストロボ撮影を連続して行う場合など、ステップＳ２０７のＳＷ１入力時点でメインコンデンサ１１７がフル充電レベルまで充電されていないことが多い。従って、ＳＷ１入力後にステップＳ２１２で補充電が行われ、フル充電レベルまでの充電完了を待ってからステップＳ２１４のＳＷ２待機状態となる。このフル充電レベルまでの充電の待ち時間によりシャッターチャンスを逃す可能性を、本実施形態では、ステップＳ２１１において、被写体の状態に応じて目標充電レベルを変更することで低減する。
【００４６】
図３は、図２のステップＳ２１１での目標充電レベル設定及び露出設定の処理の一例を説明するためのフローチャート図である。ここで、動き量の閾値を示すＴＨ１（第１の閾値），ＴＨ２（第２の閾値），ＴＨ３（第３の閾値）は、ＴＨ１＞ＴＨ２＞ＴＨ３の関係を有する。動き量とは、動き検出部１２１から出力される、連続した画像データにおける被写体位置の変位の大きさに関する情報を数値で表したものである。
【００４７】
この数値の求め方は、特に限定されず、着目する主被写体の動き量だけを抽出する方法でも、画像全体の各部の抽出された動き量に重みを掛け、平均化処理を行うことにより導き出す方法でも、画像全体の各部の抽出された動き量の最大値を抜き出す方法でもよい。また、別のアルゴリズムにより数値が導出されるものでもよい。
【００４８】
被写体の動き量が大きいとき、被写体の状況は刻一刻と変化していることが想像でき、決定的なシャッターチャンスを捉えるためにはメインコンデンサ１１７の充電のための待ち時間は短いほど好ましい。
【００４９】
図３において、ステップＳ４０１では、カメラ制御部１２０は、動き検出部１２１から出力された動き量が最も大きい閾値である閾値ＴＨ１以上か否かを判断する。そして、カメラ制御部１２０は、動き量が閾値ＴＨ１以上の場合は、被写体の動き量が非常に大きいものとしてステップＳ４０２に進み、動き量が閾値ＴＨ１未満の場合は、ステップＳ４０４に進む。
【００５０】
ステップＳ４０２では、カメラ制御部１２０は、目標充電レベルを大，中，小のうちの「小」に設定し、ステップＳ４０３に進む。メインコンデンサ１１７の充電電圧が十分に高くない状態で発光させるということは、最大発光量が小さくなることになる。
【００５１】
ステップＳ４０３では、カメラ制御部１２０は、メインコンデンサ１１７の充電レベル「小」からの発光量で撮像装置の規定する所定のストロボ光到達距離を満たすよう、感度、絞り値及びシャッタ速度の設定値を変更し、図２のステップＳ２１３に進む。
【００５２】
ここで、感度及び絞り値を合わせた設定値変更量は、ステップＳ４０２で設定した目標充電レベルに応じたものであり、本実施形態では、例えば＋２段としている。また、シャッタ速度は、感度及び絞り値を変更した量と同量の露出値に相当する高速側（例えば−２段）へ変更する。こうすることにより、ストロボ光の到達距離は伸張される一方で、外光を取り入れる量は変化させずに済み、ステップＳ２０８で行われたＡＥ処理の結果を維持することが可能となる。
【００５３】
ステップＳ４０４では、カメラ制御部１２０は、動き検出部１２１から出力された動き量が閾値ＴＨ１より小さい閾値ＴＨ２以上か否かを判断する。そして、カメラ制御部１２０は、動き量が閾値ＴＨ２以上の場合は、ステップＳ４０５に進み、動き量が閾値ＴＨ２未満の場合は、ステップＳ４０７に進む。
【００５４】
ステップＳ４０５では、カメラ制御部１２０は、目標充電レベルを大，中，小のうちの「中」に設定し、ステップＳ４０６に進む。
【００５５】
ステップＳ４０６では、カメラ制御部１２０は、メインコンデンサ１１７の充電レベル「中」からの発光量で撮像装置の規定するストロボ光到達距離を満たすよう、感度、絞り値及びシャッタ速度の設定値を変更し、図２のステップＳ２１３に進む。ここでは、感度及び絞り値を合わせた変更量が＋１．３段、シャッタ速度の変更量が−１．３段となるように設定値が変更される。
【００５６】
ステップＳ４０７では、カメラ制御部１２０は、動き検出部１２１から出力された動き量が閾値ＴＨ２より小さい閾値ＴＨ３以上か否かを判断する。そして、カメラ制御部１２０は、動き量が閾値ＴＨ３以上の場合は、ステップＳ４０８に進み、動き量が閾値ＴＨ３未満の場合は、ステップＳ４１０に進む。
【００５７】
ステップＳ４０８では、カメラ制御部１２０は、目標充電レベルを大，中，小のうちの「大」に設定し、ステップＳ４０９に進む。
【００５８】
ステップＳ４０９では、カメラ制御部１２０は、メインコンデンサ１１７の充電レベル「大」からの発光量で撮像装置の規定するストロボ光到達距離を満たすよう、感度、絞り値及びシャッタ速度の設定値を変更し、図２のステップＳ２１３に進む。ここでは、感度及び絞り値を合わせた変光量が＋０．７段、シャッタ速度の変更量が−０．７段となるように設定値が変更される。
【００５９】
ステップＳ４１０では、カメラ制御部１２０は、目標充電レベルを「Ｆｕｌｌ」に設定し、感度、絞り値及びシャッタ速度の設定値を変更することなく、図２のステップＳ２１３に進む。
【００６０】
なお、本実施形態では、３段階の動き量の閾値を用いて目標充電レベルを切り替える手法を例示したが、閾値の数は３つである必要は無く、固定値の閾値を用いず演算により目標充電レベルを設定する手法を用いることも可能である。このとき、被写体の動き量が大きいほど目標充電レベルを小さい値に設定するようにすればよい。
【００６１】
図４は、図２のステップＳ２１６における調光制御の一例を説明するための図である。
【００６２】
本実施形態では、ストロボ１１６の発光量は観測できず、発光時間を指定することで発光量を規定するシステムを想定している。従来のように、一定のフル充電レベルまでメインコンデンサ１１７を充電し、その状態からストロボ撮影を行うのであれば、一定の発光時間でプリ発光を発光させれば毎回ほぼ同等の発光量を発光することができる。
【００６３】
従って、非発光で外光のみで照らされる被写体を測光した測光値と、一定発光量のプリ発光を発光させて外光及びストロボ光に照らされる被写体を測光した測光値との比較から、プリ発光量に対しどの程度の光量で発光させればよいかの指標値を求めることができる。その指標値の発光量を実現するための発光時間は、予めメモリ１２０ａに保持している発光テーブルを参照することにより求める。
【００６４】
発光テーブルは、メインコンデンサ１１７がフル充電レベルまで充電された状態から一定発光量のプリ発光を発光させた後の充電レベルである状態において、所望の発光量を実現するための発光時間を参照するためのテーブルである。本実施形態では、メインコンデンサ１１７の充電レベルはその時々で異なるため、発光テーブルは複数保持する必要があり、発光時点の充電レベルに応じて使用する発光テーブルを選択的に使用することが必要となる。
【００６５】
このとき、発光テーブルの選択は、図３のステップＳ４０２、ステップＳ４０５、ステップＳ４０８、ステップＳ４１０で決めた目標充電レベルではなく、その時点での充電レベルに基づき行われる。
【００６６】
複数の発光テーブルを持つということは、各発光テーブルごとに異なるプリ発光量（プリ発光時間）を使用することも可能であり、図４ではその一例を示しているが、プリ発光時間は、メインコンデンサ１１７の充電レベルに依存せず一定であってもよい。発光テーブルは、予め所定の充電レベルからの発光時間と発光量の関係を測定し、作成されたものである。ただし、例えば発光量を観測し所望の発光量に達した時点で発光を停止する回路を持つような、発光時間の制御以外の方法でストロボ１１６の発光量を決められるシステムであれば、発光テーブルを用いる必要は無い。
【００６７】
ストロボ撮影により取得された画像信号は、カメラ信号処理部１０８において、オートホワイトバランス、輪郭強調等の処理がなされる。また、カメラ信号処理部１０８では、撮影された画像信号の輝度レベルを観測し、ガンマカーブの適用や主被写体の輝度を適正レベルに近づけるような輝度補正処理も行う。この処理により、図２のステップＳ２１３での閾値ＴＨ４が０以外の値であっても、また、発光制御に入る時点でのメインコンデンサ１１７の充電レベルが発光テーブル作成時の充電レベルとずれていても、被写体を適正輝度付近へと補正することが可能となる。
【００６８】
以上説明したように、本実施形態では、被写体の動き量に基づきシャッターチャンスに対する緊急性を判断して目標充電レベル並びに感度及び絞り値の設定値を変更している。これにより、シャッターチャンスを逃すケースを減らすことができるとともにストロボ撮影時に無駄に消費される電力を削減することができる。
【００６９】
（第２の実施形態）
次に、図５及び図６を参照して、本発明の第２の実施形態である撮像装置について説明する。なお、上記第１の実施形態に対して重複又は相当する部分についてはその説明を省略し、図及び符号を流用して相違点についてのみ説明する。
【００７０】
本実施形態では、図５に示すように、図２のステップＳ２１３とステップＳ２１４との間に、ステップＳ６１４〜ステップＳ６１７の処理が追加される。
【００７１】
ステップＳ６１４では、カメラ制御部１２０は、カメラ信号処理部１０８から被写体の色温度情報を取得し、ステップＳ６１５に進む。なお、ここで取得する色温度情報は、ステップＳ２０６で行うＷＢ補正のために、カメラ信号処理部１０８がＡ／Ｄ変換部１０７を介して入力したデジタル信号の信号処理を行い取得した色温度情報でよい。あるいは、色温度測定用のセンサを設けて外光から直接測定した色温度情報を用いてもよい。
【００７２】
ステップＳ６１５では、カメラ制御部１２０は、ステップＳ６１４で取得した色温度に基づき、予めメモリ１２０ａ等に記憶された補正テーブルから目標充電レベルの補正値を取得し、ステップＳ６１６に進む。
【００７３】
図６は、目標充電レベル補正値を取得するための補正テーブルの一例を示す図である。
【００７４】
外光の色温度が低いときには、外光の色の雰囲気を生かして、ストロボ１１６の発光量を小さく抑制するよう制御するのが好ましい。そのため、外光の色温度が低いときには、メインコンデンサ１１７の充電レベルは、色温度が高いときに比べて小さくてよい。そのため、被写体の色温度が低いほど目標充電レベルを小さい値に補正する。
【００７５】
ステップＳ６１６では、カメラ制御部１２０は、ステップＳ６１５で取得した目標充電レベルの補正値で図２のステップＳ２１１で決定した目標充電レベルを補正し、ステップＳ６１７に進む。
【００７６】
ステップＳ６１７では、カメラ制御部１２０は、ストロボ光の到達距離を確保するため、感度、絞り値及びシャッタ速度の設定値の再設定を行い、図２のステップＳ２１４に進む。なお、図３のステップＳ４０３、ステップＳ４０６、ステップＳ４０９での露出設定を省略して、ステップＳ６１７に露出設定を集約する構成でもよい。その他の構成及び作用効果は、上記第１に実施形態と同様である。
【００７７】
なお、本発明は、上記各実施形態に例示したものに限定されるものではなく、本発明の要旨を逸脱しない範囲において適宜変更可能である。例えば、上記各実施形態では発光装置として撮像装置に内蔵されたストロボを用いる構成を説明したが、撮像装置に着脱可能な外部ストロボを発光装置としても用いても構わない。その場合、撮像装置で検出した被写体の動き量や色温度に応じて撮像装置が外部ストロボの目標充電レベルを設定し、設定された目標充電レベルに従って外部ストロボにあるストロボ制御部が充電の制御を行うようにすればよい。
【符号の説明】
【００７８】
１１６    ストロボ
１１７    メインコンデンサ
１１８    ストロボ制御部
１２０    カメラ制御部
１２１    動き検出部
【図１】
2011061530.tif 000003
【図２】
2011061530.tif 000004
【図３】
2011061530.tif 000005
【図４】
2011061530.tif 000006
【図５】
2011061530.tif 000007
【図６】
2011061530.tif 000008